(57)【要約】【課題】手軽に、かつ、確実に貸出を所望する借用者にＵＳＢデバイスを貸し出すことができ、確実に返却されたことを確認することが可能な、貸出返却プログラム、貸出返却装置、および貸出返却システムを提供すること。【解決手段】貸出または返却の対象とするＵＳＢデバイスを特定し、入力された生体情報に基づいて借用者および確認者を認証された場合、借用者の情報、確認者の情報、およびＵＳＢデバイスの情報を対応付けて電子台帳テーブルに格納し、特定されたＵＳＢデバイスの集線装置への接続をロックするロック機構を解除または設定する。【選択図】図１０
2019061378.tif 000002
【特許請求の範囲】
【請求項１】
ＵＳＢデバイスの貸出および返却を管理する貸出返却装置のコンピュータを、
貸出または返却の対象とするＵＳＢデバイスを特定する貸出デバイス特定手段、
入力された生体情報に基づいて認証を行う認証手段、
前記貸出デバイス特定手段によって前記ＵＳＢデバイスが特定された場合、前記認証手段によって借用者を認証する借用者認証手段、
前記借用者認証手段によって前記借用者が認証された場合、前記認証手段によって確認者を認証する確認者認証手段、
前記借用者認証手段によって前記借用者が認証され、前記確認者認証手段によって前記確認者が認証された場合、前記借用者の情報、前記確認者の情報、および前記貸出デバイス特定手段によって特定された前記ＵＳＢデバイスの情報を対応付けて電子台帳テーブルに格納する電子台帳管理手段、
前記電子台帳管理手段によって前記借用者の情報、前記確認者の情報、および前記ＵＳＢデバイスの情報が前記電子台帳テーブルに対応付けて格納された場合、前記貸出デバイス特定手段によって特定された前記ＵＳＢデバイスの集線装置への接続をロックするロック機構を解除または設定するロック機構制御手段、
として機能させるための貸出返却プログラム。
【請求項２】
前記ロック機構制御手段は、前記貸出デバイス特定手段によって貸出の対象とするＵＳＢデバイスが特定された場合、前記ロック機構を解除する、ことを特徴とする請求項１に記載の貸出返却プログラム。
【請求項３】
前記ロック機構制御手段は、前記貸出デバイス特定手段によって返却の対象とするＵＳＢデバイスが特定された場合、前記ロック機構を設定する、ことを特徴とする請求項１に記載の貸出返却プログラム。
【請求項４】
前記認証手段は、入力された静脈情報に基づいて認証を行う、ことを特徴とする請求項１乃至３の何れか１項に記載の貸出返却プログラム。
【請求項５】
ＵＳＢデバイスの貸出および返却を管理する貸出返却装置であって、
貸出または返却の対象とするＵＳＢデバイスを特定する貸出デバイス特定部と、
入力された生体情報に基づいて認証を行う認証部と、
前記貸出デバイス特定部によって前記ＵＳＢデバイスが特定された場合、前記認証部によって借用者を認証する借用者認証部と、
前記借用者認証部によって前記借用者が認証された場合、前記認証部によって確認者を認証する確認者認証部と、
前記借用者認証部によって前記借用者が認証され、前記確認者認証部によって前記確認者が認証された場合、前記借用者の情報、前記確認者の情報、および前記貸出デバイス特定部によって特定された前記ＵＳＢデバイスの情報を対応付けて電子台帳テーブルに格納する電子台帳管理部と、
前記電子台帳管理部によって前記借用者の情報、前記確認者の情報、および前記ＵＳＢデバイスの情報が前記電子台帳テーブルに対応付けて格納された場合、前記貸出デバイス特定部によって特定された前記ＵＳＢデバイスの集線装置への接続をロックするロック機構を解除または設定するロック機構制御部と、
を備えることを特徴とする貸出返却装置。
【請求項６】
複数のＵＳＢデバイスとの接続を集線する集線装置と前記ＵＳＢデバイスの貸出および返却を管理する貸出返却装置とが互いに接続された貸出返却システムであって、
前記集線装置は、集線する複数のＵＳＢデバイスの接続をロックするロック機構を備え、
前記貸出返却装置は、
貸出または返却の対象とするＵＳＢデバイスを特定する貸出デバイス特定部と、
入力された生体情報に基づいて認証を行う認証部と、
前記貸出デバイス特定部によって前記ＵＳＢデバイスが特定された場合、前記認証部によって借用者を認証する借用者認証部と、
前記借用者認証部によって前記借用者が認証された場合、前記認証部によって確認者を認証する確認者認証部と、
前記借用者認証部によって前記借用者が認証され、前記確認者認証部によって前記確認者が認証された場合、前記借用者の情報、前記確認者の情報、および前記貸出デバイス特定部によって特定された前記ＵＳＢデバイスの情報を対応付けて電子台帳テーブルに格納する電子台帳管理部と、
前記電子台帳管理部によって前記借用者の情報、前記確認者の情報、および前記ＵＳＢデバイスの情報が前記電子台帳テーブルに対応付けて格納された場合、前記貸出デバイス特定部によって特定された前記ＵＳＢデバイスの前記集線装置への接続をロックするロック機構を解除または設定するロック機構制御部と、
を備える、
ことを特徴とする貸出返却システム。
【発明の詳細な説明】
【技術分野】
【０００１】
本発明は、ＵＳＢ(Universal Serial Bus)デバイスの貸出および返却を管理する貸出返却プログラム、貸出返却装置、および貸出返却システムに関する。
【背景技術】
【０００２】
従来、ＵＳＢメモリ装置等のＵＳＢデバイスの貸出および返却を管理する方法として、借用者と確認者とでＵＳＢデバイスの情報をそれぞれ台帳に記録することで管理を行う方法が用いられてきた。ＵＳＢデバイスには、ＵＳＢメモリ装置の他、例えば、ＵＳＢキーボード、ＵＳＢマウス、ＵＳＢ−ＨＵＢ、ＵＳＢカードリーダ、ＵＳＢ接続のハードディスク装置、ＵＳＢ接続のＰＣ（Personal Computer）等がある。
【０００３】
図１は、従来のＵＳＢデバイスの貸出および返却の概要を示す図である。図２は、貸出用の貸出ＵＳＢデバイスの例を示す図である。図３は、従来の貸出に用いる貸出台帳の例を示す図である。図４は、従来の貸出に用いるデバイス管理票の例を示す図である。
【０００４】
図１に示すように、貸出用の貸出ＵＳＢデバイス１は、鍵付きの保管庫２に保管されている。貸出ＵＳＢデバイス１を貸し出す場合、保管庫２の鍵を持っている確認者３が保管庫２を開け、貸出ＵＳＢデバイス１を取り出す。貸出ＵＳＢデバイス１には予め固有の「デバイス番号」が付与されている。例えば、図２に示すように、「ＵＳＢ：Ｎｏ．１」が付与されている。
【０００５】
借用者４が、貸出ＵＳＢデバイス１の番号を目視確認して貸出台帳５に記載することで貸出ＵＳＢデバイス１の情報を記録する。例えば、図３に示すように、借用者４が貸出ＵＳＢデバイス１の「デバイス番号」「貸出日時」を各欄に記載し、借用者４の名前と日時で構成された日付印を「借用者」欄に押印する。そして、確認者３が自分の日付印を「確認者」欄に押印することで貸出ＵＳＢデバイス１の貸出が完了する。
【０００６】
貸出ＵＳＢデバイス１の返却時にも、貸出台帳５への記録を行う。例えば、図３に示すように、借用者４が「返却日時」を記載し、借用者４の日付印を「返却者」欄に押印する。そして、確認者３が貸出ＵＳＢデバイス１を目視で確認し、日付印を「確認者」欄に押印する。
【０００７】
そして、確認者３が貸出ＵＳＢデバイス１を保管庫２に入れ、鍵をかけることで貸出ＵＳＢデバイス１の返却が完了する。
【０００８】
また、借用者４が貸出ＵＳＢデバイス１を返却しようとした時に、確認者３が不在であるために返却ができない場合がある。このような場合には、借用者４が貸出ＵＳＢデバイス１を持ち続けることになる。例えば、貸出期間が日を跨ぐこととなるような場合等は、セキュリティ上問題である。そのため、図４に示すようなデバイス管理票を用いることがある。借用者４がデバイス管理票の「年月日」「時分」「デバイス番号」「一時保管理由」を各欄に記載し、借用者４の日付印を「借用者印」欄に押印する。確認者３の代わりとなる者が、借用者４によって貸出ＵＳＢデバイス１が一時的に保管されることを確認し、「確認者印」欄に押印する。後に、確認者３がデバイス保管票を見て、貸出ＵＳＢデバイス１が一時的に保管されていたことを確認する。そして、確認者３が貸出ＵＳＢデバイス１を保管庫２に入れ、鍵をかけることで貸出ＵＳＢデバイス１の返却が完了する。
【０００９】
このように、ＵＳＢメモリ装置、ＵＳＢ接続のハードディスク装置等のＵＳＢデバイスの貸出および返却を管理する場合、台帳等への記録や人による確認作業が行われている。
【００１０】
なお、ゴルフクラブ等の物品の貸出を管理するシステムとしては、例えば、特許文献１、２等が開示されている。
【先行技術文献】
【特許文献】
【００１１】
【特許文献１】特開２０１２−８９０６２号公報
【特許文献２】特開２０１１−６５２８２号公報
【発明の概要】
【発明が解決しようとする課題】
【００１２】
しかしながら、上述のような従来技術においては、借用者４や確認者３が本人であるという確証が得られず、借用者４や確認者３以外の第三者によって貸出が行われる虞がある。また、必要事項の記載および押印するための台帳（貸出台帳５）が必要であり、記載や押印の煩雑さ、記載漏れや記載ミス等の虞もある。さらには、確認者３が不在であれば即座に返却できず、デバイス保管票への記載、確認者３に代わる者の押印が必要となる。
【００１３】
このように、従来技術においては、ＵＳＢデバイスの貸出手続および返却手続が煩雑であり、かつ、貸出を所望する借用者４に確実に貸し出されることが保障されていない、という問題点があった。
【００１４】
本発明は、上述のような実状に鑑みたものであり、手軽に、かつ、確実に貸出を所望する借用者にＵＳＢデバイスを貸し出すことができ、確実に返却されたことを確認することが可能な、貸出返却プログラム、貸出返却装置、および貸出返却システムを提供することを目的とする。
【課題を解決するための手段】
【００１５】
本発明は、上記課題を解決するため、下記のような構成を採用した。
すなわち、本発明の一態様によれば、本発明の貸出返却プログラムは、ＵＳＢデバイスの貸出および返却を管理する貸出返却装置のコンピュータを、貸出または返却の対象とするＵＳＢデバイスを特定する貸出デバイス特定手段、入力された生体情報に基づいて認証を行う認証手段、前記貸出デバイス特定手段によって前記ＵＳＢデバイスが特定された場合、前記認証手段によって借用者を認証する借用者認証手段、前記借用者認証手段によって前記借用者が認証された場合、前記認証手段によって確認者を認証する確認者認証手段、前記借用者認証手段によって前記借用者が認証され、前記確認者認証手段によって前記確認者が認証された場合、前記借用者の情報、前記確認者の情報、および前記貸出デバイス特定手段によって特定された前記ＵＳＢデバイスの情報を対応付けて電子台帳テーブルに格納する電子台帳管理手段、前記電子台帳管理手段によって前記借用者の情報、前記確認者の情報、および前記ＵＳＢデバイスの情報が前記電子台帳テーブルに対応付けて格納された場合、前記貸出デバイス特定手段によって特定された前記ＵＳＢデバイスの集線装置への接続をロックするロック機構を解除または設定するロック機構制御手段として機能させるための貸出返却プログラムである。
【００１６】
また、本発明の貸出返却プログラムは、前記ロック機構制御手段が、前記貸出デバイス特定手段によって貸出の対象とするＵＳＢデバイスが特定された場合、前記ロック機構を解除することが望ましい。
【００１７】
また、本発明の貸出返却プログラムは、前記ロック機構制御手段が、前記貸出デバイス特定手段によって返却の対象とするＵＳＢデバイスが特定された場合、前記ロック機構を設定することが望ましい。
【００１８】
また、本発明の貸出返却プログラムは、前記認証手段が、入力された静脈情報に基づいて認証を行うことが望ましい。
【００１９】
また、本発明の一態様によれば、本発明の貸出返却装置は、ＵＳＢデバイスの貸出および返却を管理する貸出返却装置であって、貸出または返却の対象とするＵＳＢデバイスを特定する貸出デバイス特定部と、入力された生体情報に基づいて認証を行う認証部と、前記貸出デバイス特定部によって前記ＵＳＢデバイスが特定された場合、前記認証部によって借用者を認証する借用者認証部と、前記借用者認証部によって前記借用者が認証された場合、前記認証部によって確認者を認証する確認者認証部と、前記借用者認証部によって前記借用者が認証され、前記確認者認証部によって前記確認者が認証された場合、前記借用者の情報、前記確認者の情報、および前記貸出デバイス特定部によって特定された前記ＵＳＢデバイスの情報を対応付けて電子台帳テーブルに格納する電子台帳管理部と、前記電子台帳管理部によって前記借用者の情報、前記確認者の情報、および前記ＵＳＢデバイスの情報が前記電子台帳テーブルに対応付けて格納された場合、前記貸出デバイス特定部によって特定された前記ＵＳＢデバイスの集線装置への接続をロックするロック機構を解除または設定するロック機構制御部とを備えることを特徴とする。
【００２０】
また、本発明の一態様によれば、本発明の貸出返却システムは、複数のＵＳＢデバイスとの接続を集線する集線装置と前記ＵＳＢデバイスの貸出および返却を管理する貸出返却装置とが互いに接続された貸出返却システムであって、前記集線装置が、集線する複数のＵＳＢデバイスの接続をロックするロック機構を備え、前記貸出返却装置が、貸出または返却の対象とするＵＳＢデバイスを特定する貸出デバイス特定部と、入力された生体情報に基づいて認証を行う認証部と、前記貸出デバイス特定部によって前記ＵＳＢデバイスが特定された場合、前記認証部によって借用者を認証する借用者認証部と、前記借用者認証部によって前記借用者が認証された場合、前記認証部によって確認者を認証する確認者認証部と、前記借用者認証部によって前記借用者が認証され、前記確認者認証部によって前記確認者が認証された場合、前記借用者の情報、前記確認者の情報、および前記貸出デバイス特定部によって特定された前記ＵＳＢデバイスの情報を対応付けて電子台帳テーブルに格納する電子台帳管理部と、前記電子台帳管理部によって前記借用者の情報、前記確認者の情報、および前記ＵＳＢデバイスの情報が前記電子台帳テーブルに対応付けて格納された場合、前記貸出デバイス特定部によって特定された前記ＵＳＢデバイスの前記集線装置への接続をロックするロック機構を解除または設定するロック機構制御部とを備えることを特徴とする。
【発明の効果】
【００２１】
本発明によれば、ＵＳＢデバイスの貸出を所望する借用者に対して、手軽に、かつ、確実にＵＳＢデバイスを貸し出すことができ、確実に返却されたことを確認することができる。
【図面の簡単な説明】
【００２２】
【図１】従来のＵＳＢデバイスの貸出および返却の概要を示す図である。
【図２】貸出用の貸出ＵＳＢデバイスの例を示す図である。
【図３】従来の貸出に用いる貸出台帳の例を示す図である。
【図４】従来の貸出に用いるデバイス管理票の例を示す図である。
【図５】実施の形態におけるＵＳＢデバイスの貸出および返却の概要を示す図である。
【図６】実施の形態における貸出返却システムのハードウェア構成を示す図である。
【図７】実施の形態における集線装置のハードウェア構成を示す図である。
【図８】実施の形態におけるロック機構を説明するための図である。
【図９】実施の形態における集線装置の利用例を示す図である。
【図１０】実施の形態における貸出返却装置の機能ブロック図である。
【図１１】実施の形態におけるデバイス情報テーブルの例を示す図である。
【図１２】実施の形態における借用者情報テーブルの例を示す図である。
【図１３】実施の形態における確認者情報テーブルの例を示す図である。
【図１４】実施の形態における台帳テーブルの例を示す図である。
【図１５】実施の形態における貸出返却装置が出力する画面の遷移例を示す図（その１）である。
【図１６】実施の形態における貸出返却装置が出力する画面の遷移例を示す図（その２）である。
【図１７】実施の形態における貸出処理の流れを示すフローチャートである。
【図１８】実施の形態における貸出処理のサブルーチン「デバイス情報読込処理」の流れを示すフローチャートである。
【図１９】実施の形態における終了情報領域の例を示す図である。
【図２０】実施の形態における貸出処理のサブルーチン「借用者認証処理」の流れを示すフローチャートである。
【図２１】実施の形態における貸出処理のサブルーチン「確認者認証処理」の流れを示すフローチャートである。
【図２２】実施の形態における電子台帳の例（その１）を示す図である。
【図２３】実施の形態における返却処理の流れを示すフローチャート（その１）である。
【図２４】実施の形態における返却処理の流れを示すフローチャート（その２）である。
【図２５】実施の形態における電子台帳の例（その２）を示す図である。
【発明を実施するための形態】
【００２３】
以下、本発明の実施の形態について、図面を参照しながら詳細に説明する。
図５は、実施の形態におけるＵＳＢデバイスの貸出および返却の概要を示す図である。
【００２４】
図５において、貸出返却システム５０は、貸出返却装置５１、生体情報取得装置５２、および集線装置５３を備える。貸出返却装置５１は、生体情報取得装置５２および集線装置５３と通信可能に接続されている。
【００２５】
貸出返却装置５１は、貸出用のＵＳＢデバイスである貸出ＵＳＢデバイス１の貸出および返却を管理する。貸出返却装置５１は、例えば、汎用コンピュータ、ワークステーション、パーソナルコンピュータ、スマートフォン、またはタブレット端末等である。詳細な機能については、図１０を用いて後述する。
【００２６】
生体情報取得装置５２は、例えば、手のひらの静脈等の生体情報を取得する。生体情報取得装置５２は、確認者３または借用者４の手のひら６０を撮像し、確認者３または借用者４の静脈情報が含まれる手のひら画像を取得する。
【００２７】
集線装置５３は、複数の接続ポート（ＵＳＢポート）を備え、ＵＳＢ規格に準拠した複数の貸出ＵＳＢデバイス１と接続可能である。集線装置５３は、複数の貸出ＵＳＢデバイス１との接続を集線する。集線装置５３は、接続ポートと貸出ＵＳＢデバイス１との係合部分を固定するロック機構を備える。ロック機構については、図８を用いて後述する。
【００２８】
図６は、実施の形態における貸出返却システムのハードウェア構成を示す図である。
図６において、ＣＰＵ（Central Processing Unit）５０１、入出力インターフェース（Ｉ／Ｏ）５０２、内部メモリ５０３、および記憶装置５０４が、バス５０５を介して相互に接続されている。ＣＰＵ５０１、入出力インターフェース５０２、内部メモリ５０３、記憶装置５０４、入力装置５０６、および出力装置５０７は、図５を用いて説明した貸出返却装置５１を構成する。記憶装置５０４、入力装置５０６、および出力装置５０７は、貸出返却装置５１の内部に備えられてもよいし、外部に接続されていてもよい。
【００２９】
入出力インターフェース５０２は、シリアルまたはパラレルで、入力装置５０６、出力装置５０７、生体情報取得装置５２、および集線装置５３と通信可能に接続するためのユニットである。
【００３０】
内部メモリ５０３は、ＲＯＭ（Read Only Memory）またはＲＡＭ（Random Access Memory）である。例えば、ＲＯＭは、図１７を用いて説明する貸出処理を実行する貸出処理プログラム、図２３、図２４を用いて説明する返却処理を実行する返却処理プログラムの他、貸出返却装置５１の各機能を制御し実行するための制御プログラムおよびテーブルデータなどを格納する。ＲＡＭは、図１８を用いて後述する「終了情報領域」を備える。
【００３１】
記憶装置５０４は、例えば、ハードディスク記憶装置（ＨＤＤ）であり、図１１を用いて後述する「デバイス情報テーブル」、図１２を用いて後述する「借用者情報テーブル」、図１３を用いて後述する「確認者情報テーブル」、および図１４を用いて後述する「台帳テーブル」を備える。
【００３２】
入力装置５０６は、例えば、キーボード、ジョイスティック、ライトペン、マウス、タッチパッド、タッチパネル、トラックボール等、各種のデータや信号等を入力する。
【００３３】
出力装置５０７は、例えば、ＬＣＤ（Liquid Crystal Display）等の各種ディスプレイ、プリンタ等、画像やその他の情報を出力する。
【００３４】
ＣＰＵ５０１は、これらの各部を制御する。例えば、内部メモリ５０３に格納されている貸出処理プログラムを実行することで貸出処理を実現する。また、内部メモリ５０３に格納されている返却処理プログラムを実行することで返却処理を実現する。
【００３５】
図７は、実施の形態における集線装置のハードウェア構成を示す図である。
図７において、集線装置５３は、貸出ＵＳＢデバイス側第１ＵＳＢポート５３１、貸出ＵＳＢデバイス側第２ＵＳＢポート５３２、貸出ＵＳＢデバイス側第３ＵＳＢポート５３３、貸出ＵＳＢデバイス側第４ＵＳＢポート５３４、貸出ＵＳＢデバイス側第５ＵＳＢポート５３５、および貸出返却装置側ＵＳＢポート５３６を備える。また、集線装置５３は、第１ポートロック用駆動モータ５４１、第２ポートロック用駆動モータ５４２、第３ポートロック用駆動モータ５４３、第４ポートロック用駆動モータ５４４、第５ポートロック用駆動モータ５４５、およびモータ制御部５４６を備える。
【００３６】
貸出返却装置側ＵＳＢポート５３６は、貸出ＵＳＢデバイス側第１ＵＳＢポート５３１、貸出ＵＳＢデバイス側第２ＵＳＢポート５３２、貸出ＵＳＢデバイス側第３ＵＳＢポート５３３、貸出ＵＳＢデバイス側第４ＵＳＢポート５３４、および貸出ＵＳＢデバイス側第５ＵＳＢポート５３５と接続されることにより、全体としてハブ（集線）構造を構成する。貸出返却装置側ＵＳＢポート５３６は、貸出返却装置５１と不図示のＵＳＢケーブル等を介して通信可能に接続される。貸出ＵＳＢデバイス側第１ＵＳＢポート５３１等（５３１、５３２、５３３、５３４、５３５）は、ＵＳＢメモリ装置、ＵＳＢキーボード、ＵＳＢマウス、ＵＳＢ−ＨＵＢ、ＵＳＢカードリーダ、ＵＳＢ接続のハードディスク装置、ＵＳＢ接続のＰＣ等の貸出ＵＳＢデバイス１を収容することが可能である。
【００３７】
モータ制御部５４６は、貸出返却装置側ＵＳＢポート５３６を介して受信した貸出返却装置５１からの指示信号に基づいて、第１ポートロック用駆動モータ５４１、第２ポートロック用駆動モータ５４２、第３ポートロック用駆動モータ５４３、第４ポートロック用駆動モータ５４４、および第５ポートロック用駆動モータ５４５のうちの何れかの駆動を制御する。
【００３８】
図８は、実施の形態におけるロック機構を説明するための図である。
図８の（ａ）に示すように、ＵＳＢメモリ装置等の貸出ＵＳＢデバイス１は、ＵＳＢ端子８１を備える。ＵＳＢ端子８１には、係合穴８２が開いて（空いて）いる。従来は、図８の（ｂ）に示すように、ＵＳＢ端子８１の係合穴８２に、従来のＵＳＢポート内に備え付けられた板バネ部材８３が挿入されることにより、貸出ＵＳＢデバイス１がＵＳＢポートに固定される。
【００３９】
上述したように、実施の形態における集線装置５３は、第１ポートロック用駆動モータ５４１等（５４１、５４２、５４３、５４４、５４５）を備える。更に、集線装置５３は、ロック機構８０を備える。ロック機構８０は、例えば、カム駆動ギア８４、ロック用カム部材８５、およびロック用ツメ部材８６を備える。
【００４０】
カム駆動ギア８４は、図８の（ｃ）に示すように、第１ポートロック用駆動モータ５４１等は、カム駆動ギア８４を介してロック用カム部材８５に回転を伝達する。ロック用カム部材８５は、第１ポートロック用駆動モータ５４１等から伝達された回転によりロック用ツメ部材８６を往復運動させる。ロック用ツメ部材８６は、例えば、不図示のバネ部材によりＵＳＢ端子８１の係合穴８２に係合していない状態に設置されている。そして、ロック用ツメ部材８６は、ロック用カム部材８５による往復運動によって、ＵＳＢ端子８１の係合穴８２に挿入されたり（図８の（ｄ）の状態から（ｅ）の状態へ）、抜去されたり（図８の（ｅ）の状態から（ｄ）の状態へ）する。ロック用ツメ部材８６が係合穴８２に挿入されることにより（図８の（ｅ））、貸出ＵＳＢデバイス１が貸出ＵＳＢデバイス側第１ＵＳＢポート５３１等に固定（ロック）される。図８を用いて説明したロック機構８０により、貸出ＵＳＢデバイス１は、集線装置５３が備える貸出ＵＳＢデバイス側第１ＵＳＢポート５３１等に固定（ロック）される。
【００４１】
図９は、実施の形態における集線装置の利用例を示す図である。
図９に示すように、集線装置５３は、貸出ＵＳＢデバイス側第１ＵＳＢポート５３１等（５３１、５３２、５３３、５３４、５３５）に、図８を用いて説明したようなロック機構を備え、貸出ＵＳＢデバイス１を固定して管理する。
【００４２】
図１０は、実施の形態における貸出返却装置の機能ブロック図である。図１１は、実施の形態におけるデバイス情報テーブルの例を示す図である。図１２は、実施の形態における借用者情報テーブルの例を示す図である。図１３は、実施の形態における確認者情報テーブルの例を示す図である。図１４は、実施の形態における台帳テーブルの例を示す図である。
【００４３】
図１０において、貸出返却装置５１は、デバイス情報テーブル１００１、貸出デバイス特定部１００２、認証部１００３、借用者情報テーブル１００４、借用者認証部１００５、確認者情報テーブル１００６、確認者認証部１００７、電子台帳管理部１００８、電子台帳テーブル１００９、およびロック機構制御部１０１０を備え、貸出ＵＳＢデバイス１の貸出および返却を管理する。
【００４４】
デバイス情報テーブル１００１は、図１１に例示するように、貸出ＵＳＢデバイス１に関する情報としての「デバイス番号」「登録日」「接続ＵＳＢポート番号（Ｎｏ．）」「貸出中台帳番号（Ｎｏ．）」「借用者番号（Ｎｏ．）」「確認者番号（Ｎｏ．）」を、デバイス情報テーブル１００１の各レコード番号としての「登録番号（Ｎｏ．）」と対応付けて格納する。
【００４５】
貸出デバイス特定部１００２は、デバイス情報テーブル１００１を参照し、貸出または返却の対象とする貸出ＵＳＢデバイス１を特定する。
【００４６】
認証部１００３は、生体情報取得装置５２から入力された生体情報に基づいて認証を行う。例えば、入力された確認者３または借用者４の手のひら画像に含まれる静脈情報に基づいて認証を行う。
【００４７】
借用者情報テーブル１００４は、図１２に例示するように、借用者４に関する情報としての「生体情報」「借用者名」を、借用者情報テーブル１００４の各レコード番号としての「登録番号（Ｎｏ．）」と対応付けて格納する。
【００４８】
借用者認証部１００５は、貸出デバイス特定部１００２によって貸出ＵＳＢデバイス１が特定された場合、借用者情報テーブル１００４を参照し、認証部１００３を用いて借用者４を認証する。
【００４９】
確認者情報テーブル１００６は、図１３に例示するように、確認者３に関する情報としての「生体情報」「確認者名」を、確認者情報テーブル１００６の各レコード番号としての「登録番号（Ｎｏ．）」と対応付けて格納する。
【００５０】
確認者認証部１００７は、借用者認証部１００５によって借用者４が認証された場合、確認者情報テーブル１００６を参照し、認証部１００３を用いて確認者３を認証する。
【００５１】
電子台帳管理部１００８は、借用者認証部１００５によって借用者４が認証され、確認者認証部１００７によって確認者３が認証された場合、借用者４の情報、確認者３の情報、および貸出デバイス特定部１００２によって特定された貸出ＵＳＢデバイス１の情報を対応付けて電子台帳テーブル１００９に格納する。
【００５２】
電子台帳テーブル１００９は、借用者４の情報、確認者３の情報、および貸出ＵＳＢデバイス１の情報を対応付けて格納する。例えば、図１４に示すように、「デバイス番号」「貸出日時」「借用者」「貸出確認者（貸出時の確認者）」「返却日時」「返却者（返却した借用者）」「返却確認者（返却時の確認者）」を、電子台帳テーブル１００９の各レコード番号としての「登録番号（Ｎｏ．）」と対応付けて格納する。
【００５３】
ロック機構制御部１０１０は、電子台帳管理部１００８によって借用者４の情報、確認者３の情報、および貸出ＵＳＢデバイス１の情報が電子台帳テーブル１００９に対応付けて格納された場合、貸出デバイス特定部１００２によって特定された貸出ＵＳＢデバイス１の集線装置５３への接続をロックするロック機構８０を解除または設定する。例えば、ロック機構制御部１０１０は、貸出デバイス特定部１００２によって貸出の対象とする貸出ＵＳＢデバイス１が特定された場合、ロック機構８０を解除する。また、ロック機構制御部１０１０は、貸出デバイス特定部１００２によって返却の対象とする貸出ＵＳＢデバイス１が特定された場合、ロック機構８０を設定する。
【００５４】
図１５および図１６は、実施の形態における貸出返却装置が出力する画面の遷移例を示す図である。
【００５５】
図１５が貸出の場合の遷移例であり、図１６が返却の場合の遷移例である。
貸出の場合、図１５に示すように、貸出返却装置５１は、初期画面として画面１５０１を出力装置５０７に表示している。画面１５０１には、ボタン「貸出」と「返却」が選択可能に表示されている。
【００５６】
画面１５０１のボタン「貸出」が選択される（タッチ、クリック等）と、画面１５０２が出力装置５０７に表示される。
【００５７】
貸出ＵＳＢデバイス１が固定される集線装置５３のポート番号（貸出ＵＳＢデバイス側第１ＵＳＢポート５３１等）を借用者４が入力（指定）すると、指定されたポート番号に貸出ＵＳＢデバイス１が固定されているか否かを判断する（Ｓ１５０１）。
【００５８】
指定されたポート番号に貸出ＵＳＢデバイス１が固定されていない場合（Ｓ１５０１：ＮＯ）、画面１５０３を出力装置５０７に表示し、初期画面（画面１５０１）に戻る。
【００５９】
指定されたポート番号に貸出ＵＳＢデバイス１が固定されている場合（Ｓ１５０１：ＹＥＳ）、その貸出ＵＳＢデバイス１に記憶されている内部情報をチェックする。
【００６０】
内部情報のチェックがＯＫでなければ（Ｓ１５０２：ＮＯ）、画面１５０４を出力装置５０７に表示し、初期画面（画面１５０１）に戻る。
【００６１】
内部情報のチェックがＯＫであれば（Ｓ１５０２：ＹＥＳ）、画面１５０５を出力装置５０７に表示する。
【００６２】
借用者４が手のひら６０を生体情報取得装置５２にかざし、予め借用者情報テーブル１００４に格納された生体情報（手のひらの静脈情報）と一致しなかった場合（Ｓ１５０３：ＮＯ）、画面１５０６を出力装置５０７に表示し、初期画面（画面１５０１）に戻る。
【００６３】
借用者４が生体情報取得装置５２にかざした手のひら６０の情報が、借用者情報テーブル１００４に格納された生体情報（手のひらの静脈情報）と一致した場合（Ｓ１５０３：ＹＥＳ）、画面１５０７を出力装置５０７に表示する。
【００６４】
確認者３が手のひら６０を生体情報取得装置５２にかざし、予め確認者情報テーブル１００６に格納された生体情報（手のひらの静脈情報）と一致しなかった場合（Ｓ１５０４：ＮＯ）、画面１５０８を出力装置５０７に表示し、初期画面（画面１５０１）に戻る。
【００６５】
確認者３が生体情報取得装置５２にかざした手のひら６０の情報が、確認者情報テーブル１００６に格納された生体情報（手のひらの静脈情報）と一致した場合（Ｓ１５０４：ＹＥＳ）、画面１５０９を出力装置５０７に表示し、初期画面（画面１５０１）に戻る。
【００６６】
返却の場合も、図１６に示すように、貸出返却装置５１は、初期画面として画面１５０１を出力装置５０７に表示している。
【００６７】
画面１５０１のボタン「返却」が選択されると、画面１６０１が出力装置５０７に表示される。
【００６８】
貸出されていた貸出ＵＳＢデバイス１が借用者４によって集線装置５３のＵＳＢポート（貸出ＵＳＢデバイス側第１ＵＳＢポート５３１等）に挿入されると、挿入された貸出ＵＳＢデバイス１がデバイス情報テーブル１００１に予め登録されているか否かを判断する（Ｓ１６０１）。
【００６９】
登録されていない場合（Ｓ１６０１：ＮＯ）、画面１６０２を出力装置５０７に表示し、初期画面（画面１５０１）に戻る。
【００７０】
登録されている場合（Ｓ１６０１：ＹＥＳ）、挿入した貸出ＵＳＢデバイス１に記憶されている内部情報をチェックする。
【００７１】
内部情報のチェックがＯＫでなければ（Ｓ１６０２：ＮＯ）、画面１６０３を出力装置５０７に表示し、初期画面（画面１５０１）に戻る。
【００７２】
内部情報のチェックがＯＫであれば（Ｓ１６０２：ＹＥＳ）、画面１６０４を出力装置５０７に表示する。
【００７３】
借用者４が手のひら６０を生体情報取得装置５２にかざし、予め借用者情報テーブル１００４に格納された生体情報（手のひらの静脈情報）と一致しなかった場合（Ｓ１６０３：ＮＯ）、画面１６０５を出力装置５０７に表示し、初期画面（画面１５０１）に戻る。
【００７４】
借用者４が生体情報取得装置５２にかざした手のひら６０の情報が、借用者情報テーブル１００４に格納された生体情報（手のひらの静脈情報）と一致した場合（Ｓ１６０３：ＹＥＳ）、画面１６０６を出力装置５０７に表示する。画面１６０６には、ボタン「Ｙｅｓ」と「Ｎｏ」が選択可能に表示されている。
【００７５】
確認者３がその場にいる場合、借用者４または確認者３が画面１６０６のボタン「Ｙｅｓ」を選択する。画面１６０６のボタン「Ｙｅｓ」が選択されると（Ｓ１６０４：ＹＥＳ）、画面１６０７を出力装置５０７に表示する。
【００７６】
確認者３が手のひら６０を生体情報取得装置５２にかざし、予め確認者情報テーブル１００６に格納された生体情報（手のひらの静脈情報）と一致しなかった場合（Ｓ１６０５：ＮＯ）、画面１６０８を出力装置５０７に表示し、初期画面（画面１５０１）に戻る。
【００７７】
確認者３が生体情報取得装置５２にかざした手のひら６０の情報が、確認者情報テーブル１００６に格納された生体情報（手のひらの静脈情報）と一致した場合（Ｓ１６０５：ＹＥＳ）、画面１６０９を出力装置５０７に表示し、初期画面（画面１５０１）に戻る。
【００７８】
他方、確認者３がその場にいない場合、借用者４が画面１６０６のボタン「Ｎｏ」を選択する。画面１６０６のボタン「Ｎｏ」を選択されると（Ｓ１６０４：ＮＯ）、画面１６０９を出力装置５０７に表示し、初期画面（画面１５０１）に戻る。
【００７９】
図１７は、実施の形態における貸出処理の流れを示すフローチャートである。図１８は、実施の形態における貸出処理のサブルーチン「デバイス情報読込処理」の流れを示すフローチャートである。図１９は、実施の形態における終了情報領域の例を示す図である。図２０は、実施の形態における貸出処理のサブルーチン「借用者認証処理」の流れを示すフローチャートである。図２１は、実施の形態における貸出処理のサブルーチン「確認者認証処理」の流れを示すフローチャートである。図２２は、実施の形態における電子台帳の例（その１）を示す図である。
【００８０】
貸出処理は、内部メモリ５０３に格納された貸出返却プログラムをＣＰＵ５０１が読み出し実行することにより実現される。
【００８１】
ＣＰＵ５０１は、図１７のステップＳ１７０１において、借用者４が貸出を所望した貸出ＵＳＢデバイス１が接続されているポートＮｏ．（接続ＵＳＢポートＮｏ．）を入力する。
【００８２】
ＣＰＵ５０１は、ステップＳ１７０２において、ステップＳ１７０１で入力された接続ＵＳＢポートＮｏ．をキーにして、デバイス情報テーブル１００１を検索する。
【００８３】
ＣＰＵ５０１は、ステップＳ１７０３において、ステップＳ１７０１で入力された接続ＵＳＢポートＮｏ．が、デバイス情報テーブル１００１に格納された接続ＵＳＢポートＮｏ．と一致するか否かを判断する。
【００８４】
一致しないと判断された場合（ステップＳ１７０３：ＮＯ）、ＣＰＵ５０１は、ステップＳ１７０４において、図１５に例示したような画面１５０３を表示し、貸出処理を終了する。
【００８５】
他方、一致すると判断された場合（ステップＳ１７０３：ＹＥＳ）、ＣＰＵ５０１は、ステップＳ１７０５において、サブルーチン「デバイス情報読込処理」を実行する。
【００８６】
ＣＰＵ５０１は、図１８のステップＳ１８０１において、図１７のステップＳ１７０１で入力された接続ＵＳＢポートＮｏ．に接続された貸出ＵＳＢデバイス１から識別データを読み込む。なお、貸出ＵＳＢデバイス１が接続されていない場合は、識別データが読み込めないので、例えば、ヌル（ｎｕｌｌ）データを読み込んだと見做す。
【００８７】
ＣＰＵ５０１は、ステップＳ１８０２において、ステップＳ１８０１で読み込んだ識別データを解析し、貸出ＵＳＢデバイス１のデバイス番号を抽出する。
【００８８】
ＣＰＵ５０１は、ステップＳ１８０３において、図１９に示すような終了情報領域（内部メモリ５０３）に、デバイス番号、接続されたＵＳＢポート番号を格納する。
【００８９】
図１７の説明に戻る。
ＣＰＵ５０１は、ステップＳ１７０６において、ステップＳ１７０１で入力された接続ＵＳＢポートＮｏ．と、図１８のステップＳ１８０３で終了情報領域に格納された接続ＵＳＢポートＮｏ．を比較する。
【００９０】
ＣＰＵ５０１は、ステップＳ１７０７において、ステップＳ１７０６の比較により両者が一致するか否かを判断する。
【００９１】
一致しないと判断された場合（ステップＳ１７０７：ＮＯ）、ＣＰＵ５０１は、ステップＳ１７０８において、例えば、アラームを鳴らした上で、図１５に例示したような画面１５０４を表示し、運用責任者による貸出ＵＳＢデバイス１の確認を実施し、貸出処理を終了する。
【００９２】
他方、一致すると判断された場合（ステップＳ１７０７：ＹＥＳ）、ＣＰＵ５０１は、ステップＳ１７０９において、サブルーチン「借用者認証処理」を実行する。
【００９３】
ＣＰＵ５０１は、図２０のステップＳ２００１において、生体情報取得装置５２から生体情報を読み込ませる。
【００９４】
ＣＰＵ５０１は、ステップＳ２００２において、ステップＳ２００２で読み込ませた生体情報と借用者情報テーブル１００４に予め格納された生体情報と一致するものがあるかを検索する。
【００９５】
ＣＰＵ５０１は、ステップＳ２００３において、両者が一致するか否かを判断する。
一致すると判断された場合（ステップＳ２００３：ＹＥＳ）、ＣＰＵ５０１は、ステップＳ２００４において、終了情報領域に借用者４の登録Ｎｏ．を格納する。
【００９６】
他方、一致しないと判断された場合（ステップＳ２００４：ＮＯ）、ＣＰＵ５０１は、ステップＳ２００５において、例えば、アラームを鳴らした上で、図１５に例示したような画面１５０６を表示し、運用責任者による人物（借用者４）確認を実施する。
【００９７】
図１７の説明に戻る。
ＣＰＵ５０１は、ステップＳ１７１０において、サブルーチン「確認者認証処理」を実行する。
【００９８】
ＣＰＵ５０１は、図２１のステップＳ２１０１において、生体情報取得装置５２から生体情報を読み込ませる。
【００９９】
ＣＰＵ５０１は、ステップＳ２１０２において、ステップＳ２１０２で読み込ませた生体情報と確認者情報テーブル１００６に予め格納された生体情報と一致するものがあるかを検索する。
【０１００】
ＣＰＵ５０１は、ステップＳ２１０３において、両者が一致するか否かを判断する。
一致すると判断された場合（ステップＳ２１０３：ＹＥＳ）、ＣＰＵ５０１は、ステップＳ２１０４において、終了情報領域に確認者３の登録Ｎｏ．を格納する。
【０１０１】
他方、一致しないと判断された場合（ステップＳ２１０４：ＮＯ）、ＣＰＵ５０１は、ステップＳ２１０５において、例えば、アラームを鳴らした上で、図１５に例示したような画面１５０８を表示し、運用責任者による人物（確認者３）確認を実施する。
【０１０２】
図１７の説明に戻る。
ＣＰＵ５０１は、ステップＳ１７１１において、図１４に例示したような電子台帳テーブル１００９の最後のレコードに、図１８のステップＳ１８０２で抽出した貸出ＵＳＢデバイス１のデバイス番号、貸出日時、借用者（借用者４の氏名）、貸出確認者（確認者３の氏名）を格納する。
【０１０３】
ＣＰＵ５０１は、ステップＳ１７１２において、該当するデバイス情報テーブル１００１に、追加した台帳の登録Ｎｏ．、借用者４の登録Ｎｏ．、確認者３の登録Ｎｏ．を格納し、接続ＵＳＢポートＮｏ．を「なし」にする。これにより、図２２に例示するような電子台帳が作成される。
【０１０４】
ＣＰＵ５０１は、ステップＳ１７１３において、貸出ＵＳＢデバイス１が接続されていた集線装置５３のＵＳＢポートのロック機構８０を解除（アンロック状態）する。
【０１０５】
ＣＰＵ５０１は、ステップＳ１７１４において、図１５に例示したような画面１５０９を表示し、貸出処理を終了する。
【０１０６】
図２３および図２４は、実施の形態における返却処理の流れを示すフローチャートである。図２５は、実施の形態における電子台帳の例（その２）を示す図である。
【０１０７】
返却処理は、内部メモリ５０３に格納された貸出返却プログラムをＣＰＵ５０１が読み出し実行することにより実現される。
【０１０８】
ＣＰＵ５０１は、図２３のステップＳ２３０１において、図１８を用いて上述したサブルーチン「デバイス情報読込処理」を実行する。
【０１０９】
ＣＰＵ５０１は、ステップＳ２３０２において、図１８のステップＳ１８０２で抽出したデバイス番号をキーにして、デバイス情報テーブル１００１を検索する。
【０１１０】
ＣＰＵ５０１は、ステップＳ２３０３において、図１８のステップＳ１８０２で抽出したデバイス番号が、デバイス情報テーブル１００１に格納されたデバイス番号と一致するか否かを判断する。
【０１１１】
一致しないと判断された場合（ステップＳ２３０３：ＮＯ）、ＣＰＵ５０１は、ステップＳ２３０４において、例えば、アラームを鳴らした上で、図１６に例示したような画面１６０２を表示し、運用責任者による貸出ＵＳＢデバイス１の確認を実施し、返却処理を終了する。
【０１１２】
他方、一致すると判断された場合（ステップＳ２３０３：ＹＥＳ）、ＣＰＵ５０１は、ステップＳ２３０５において、一致したデバイス番号に対応するデバイス情報テーブル１００１の接続ＵＳＢポートＮｏ．が「なし」か否かを判断する。
【０１１３】
「なし」でないと判断された場合（ステップＳ２３０５：ＮＯ）、ＣＰＵ５０１は、ステップＳ２３０６において、例えば、アラームを鳴らした上で、図１６に例示したような画面１６０３を表示し、運用責任者による貸出ＵＳＢデバイス１の確認を実施し、返却処理を終了する。
【０１１４】
他方、「なし」であると判断された場合（ステップＳ２３０５：ＹＥＳ）、ＣＰＵ５０１は、ステップＳ２３０７において、図２０を用いて上述したサブルーチン「借用者認証処理」を実行する。
【０１１５】
ＣＰＵ５０１は、ステップＳ２３０８において、図２０のステップＳ２００４で格納した（認証された）借用者４の登録Ｎｏ．がデバイス情報テーブル１００１の借用者Ｎｏ．と一致するか否かを判断する。
【０１１６】
一致しないと判断された場合（ステップＳ２３０８：ＮＯ）、ＣＰＵ５０１は、ステップＳ２３０９において、例えば、アラームを鳴らした上で、図１６に例示したような画面１６０５を表示し、運用責任者による人物（借用者４）確認を実施し、返却処理を終了する。
【０１１７】
他方、一致すると判断された場合（ステップＳ２３０８：ＹＥＳ）、ＣＰＵ５０１は、ステップＳ２３１０において、確認者３が不在か否かを判断する。例えば、図１６の画面１６０６に表示されたボタン「Ｎｏ」が選択されたかボタン「Ｙｅｓ」が選択されたかを判断する。
【０１１８】
確認者３が不在であると判断された場合、例えば、図１６の画面１６０６に表示されたボタン「Ｎｏ」が選択された場合（ステップＳ２３１０：ＹＥＳ）、ＣＰＵ５０１は、ステップＳ２３１１において、終了情報領域の確認者３の登録Ｎｏ．に、不在を示す番号（０）を格納し、図２４のステップＳ２４０１に進む。
【０１１９】
ステップＳ２３１０で確認者３が不在でないと判断された場合、例えば、図１６の画面１６０６に表示されたボタン「Ｙｅｓ」が選択された場合（ステップＳ２３１０：ＮＯ）、ＣＰＵ５０１は、ステップＳ２３１２において、図２１を用いて上述したサブルーチン「確認者認証処理」を実行する。
【０１２０】
ＣＰＵ５０１は、ステップＳ２３１３において、図２１のステップＳ２１０４で格納した（認証された）確認者３の登録Ｎｏ．がデバイス情報テーブル１００１の借用者Ｎｏ．と一致するか否かを判断する。
【０１２１】
一致しないと判断された場合（ステップＳ２３１３：ＮＯ）、ＣＰＵ５０１は、ステップＳ２３１４において、例えば、アラームを鳴らした上で、図１６に例示したような画面１６０８を表示し、運用責任者による人物（確認者３）確認を実施し、返却処理を終了する。
【０１２２】
他方、一致すると判断された場合（ステップＳ２３１３：ＹＥＳ）、ＣＰＵ５０１は、図２４のステップＳ２４０１において、電子台帳テーブル１００９に返却日時、返却者（借用者４）、返却確認者（確認者３）を格納する。これにより、図２２に例示するような電子台帳が更新され、図２５に例示するような電子台帳が作成される。
【０１２３】
ＣＰＵ５０１は、ステップＳ２４０２において、該当するデバイス情報テーブル１００１の貸出中台帳Ｎｏ．、借用者Ｎｏ．、確認者Ｎｏ．に「なし」を格納する。そして、接続ＵＳＢポートＮｏ．に、返却された貸出ＵＳＢデバイス１が接続されたＵＳＢポート番号を格納する。
【０１２４】
ＣＰＵ５０１は、ステップＳ２４０３において、貸出ＵＳＢデバイス１が接続された集線装置５３のＵＳＢポートのロック機構８０を設定（ロック状態）する。
【０１２５】
ＣＰＵ５０１は、ステップＳ２４０４において、図１６に例示したような画面１６０９を表示し、返却処理を終了する。
【０１２６】
以上、説明したように、貸出返却プログラムの貸出返却装置５１による実行によって、実施の形態の貸出返却処理が実現される。実施の形態によれば、貸出ＵＳＢデバイス１の確実な貸出および返却ができる。また、貸出および返却を記録して管理することができるので、返却時に確認者３が不要となり、確認者３が不在となる時間帯（深夜等）であっても貸出ＵＳＢデバイス１を返却することができる。これにより、貸出ＵＳＢデバイス１を借用者４が保持している（借りている）時間が短くなり、借用者４の責任を軽減することができる。
【０１２７】
前述してきた本発明の実施の形態は、貸出返却装置の一機能としてハードウェア又はＤＳＰ（Digital Signal Processor）ボードやＣＰＵボードでのファームウェアもしくはソフトウェアにより実現することができる。
【０１２８】
また、本発明が適用される貸出返却装置は、その機能が実行されるのであれば、前述の実施の形態に限定されることなく、単体の装置であっても、複数の装置からなるシステムあるいは統合装置であっても、ＬＡＮ、ＷＡＮ等のネットワークを介して処理が行なわれるシステムであってもよいことは言うまでもない。
【０１２９】
また、バスに接続されたＣＰＵ、ＲＯＭやＲＡＭのメモリ、入力装置、出力装置、外部記録装置、媒体駆動装置、ネットワーク接続装置で構成されるシステムでも実現できる。すなわち、前述してきた実施の形態のシステムを実現するソフトウェアのプログラムを記録したＲＯＭやＲＡＭのメモリ、外部記録装置、可搬記録媒体を、貸出返却装置に供給し、その貸出返却装置のコンピュータがプログラムを読み出し実行することによっても、達成されることは言うまでもない。
【０１３０】
この場合、可搬記録媒体等から読み出されたプログラム自体が本発明の新規な機能を実現することになり、そのプログラムを記録した可搬記録媒体等は本発明を構成することになる。
【０１３１】
プログラムを供給するための可搬記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、ＤＶＤ−ＲＡＭ、磁気テープ、不揮発性のメモリーカード、ＲＯＭカード、電子メールやパソコン通信等のネットワーク接続装置（言い換えれば、通信回線）を介して記録した種々の記録媒体などを用いることができる。
【０１３２】
また、コンピュータ（情報処理装置）がメモリ上に読み出したプログラムを実行することによって、前述した実施の形態の機能が実現される他、そのプログラムの指示に基づき、コンピュータ上で稼動しているＯＳなどが実際の処理の一部又は全部を行ない、その処理によっても前述した実施の形態の機能が実現される。
【０１３３】
さらに、可搬記録媒体から読み出されたプログラムやプログラム（データ）提供者から提供されたプログラム（データ）が、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部又は全部を行ない、その処理によっても前述した実施の形態の機能が実現され得る。
【０１３４】
すなわち、本発明は、以上に述べた実施の形態に限定されるものではなく、本発明の要旨を逸脱しない範囲内で種々の構成又は形状を取ることができる。
【符号の説明】
【０１３５】
１          貸出ＵＳＢデバイス
２          保管庫
３          確認者
４          借用者
５          貸出台帳
５０        貸出返却システム
５１        貸出返却装置
５２        生体情報取得装置
５３        集線装置
６０        手のひら
８０        ロック機構
８１        ＵＳＢ端子
８２        係合穴
８３        板バネ部材
８４        カム駆動ギア
８５        ロック用カム部材
８６        ロック用ツメ部材
５０１      ＣＰＵ（Central Processing Unit）
５０２      入出力インターフェース（Ｉ／Ｏ）
５０３      内部メモリ
５０４      記憶装置
５０５      バス
５０６      入力装置
５０７      出力装置
５３１      貸出ＵＳＢデバイス側第１ＵＳＢポート
５３２      貸出ＵＳＢデバイス側第２ＵＳＢポート
５３３      貸出ＵＳＢデバイス側第３ＵＳＢポート
５３４      貸出ＵＳＢデバイス側第４ＵＳＢポート
５３５      貸出ＵＳＢデバイス側第５ＵＳＢポート
５３６      貸出返却装置側ＵＳＢポート
５４１      第１ポートロック用駆動モータ
５４２      第２ポートロック用駆動モータ
５４３      第３ポートロック用駆動モータ
５４４      第４ポートロック用駆動モータ
５４５      第５ポートロック用駆動モータ
５４６      モータ制御部
１００１    デバイス情報テーブル
１００２    貸出デバイス特定部
１００３    認証部
１００４    借用者情報テーブル
１００５    借用者認証部
１００６    確認者情報テーブル
１００７    確認者認証部
１００８    電子台帳管理部
１００９    電子台帳テーブル
１０１０    ロック機構制御部
１５０１、１５０２、１５０３、１５０４、１５０５、１５０６、１５０７、１５０８、１５０９  画面
１６０１、１６０２、１６０３、１６０４、１６０５、１６０６、１６０７、１６０８、１６０９  画面
【図１】
2019061378.tif 000003
【図２】
2019061378.tif 000004
【図３】
2019061378.tif 000005
【図４】
2019061378.tif 000006
【図５】
2019061378.tif 000007
【図６】
2019061378.tif 000008
【図７】
2019061378.tif 000009
【図８】
2019061378.tif 000010
【図９】
2019061378.tif 000011
【図１０】
2019061378.tif 000012
【図１１】
2019061378.tif 000013
【図１２】
2019061378.tif 000014
【図１３】
2019061378.tif 000015
【図１４】
2019061378.tif 000016
【図１５】
2019061378.tif 000017
【図１６】
2019061378.tif 000018
【図１７】
2019061378.tif 000019
【図１８】
2019061378.tif 000020
【図１９】
2019061378.tif 000021
【図２０】
2019061378.tif 000022
【図２１】
2019061378.tif 000023
【図２２】
2019061378.tif 000024
【図２３】
2019061378.tif 000025
【図２４】
2019061378.tif 000026
【図２５】
2019061378.tif 000027